(57)【要約】  回転子モジュール(1)及びステーターモジュール(2)を具備する風力発電装置(100)である。回転子モジュールは、ローテ―チングパーツ(11)及びローテ―チングパーツに設置されている第一磁力モジュール(12)及び第二磁力モジュール(13)を有する。ローテ―チングパーツは柱体(111)及び柱体に繋がっている螺旋式羽根(112)を有する。第一磁力モジュール及び第二磁力モジュールは螺旋式羽根の外側に設置され、且つ柱体の半径方向に沿って相互に向かい合っている。回転子モジュールは螺旋式羽根の外側の周りに配設された第一磁力モジュールと第二磁力モジュールとの間の環状スロット(G)を具備する。ステーターモジュールはフレーム体(21)と、フレーム体に繋がっている位置決めコンポーネント(22)及び位置決めコンポーネントに固定されている誘導モジュール(23)を有し、且つ誘導モジュールは環状スロットの中に設置されている。
2018143452.tif 000002
【特許請求の範囲】
【請求項１】
回転子モジュール及びステーターモジュールを具備する風力発電装置であって、  前記回転子モジュールは、ローテ―チングパーツ、第一磁力モジュール及び第二磁力モジュールを有し、  前記ローテ―チングパーツは、柱体と、前記柱体に繋がっている螺旋式羽根と、前記柱体に固定されている第一フレームと、前記第一フレームの外側にある第二フレームとを有し、  第一磁力モジュールは、前記第一フレームに固定され、且つ前記螺旋式羽根の外側に設置され、  第二磁力モジュールは、前記第二フレームに固定され、且つ前記第一磁力モジュールの外側に設置され、さらに前記柱体の半径方向に沿って前記第一磁力モジュールと向き合っており、  前記回転子モジュールは、前記螺旋式羽根の外側の周りに配設された前記第一磁力モジュールと前記第二磁力モジュールとの間に少なくとも一つの環状スロットを具備すると定義し、  前記ステーターモジュールは、前記回転子モジュールの外側に設置され、且つフレーム体、位置決めコンポーネント及び誘導モジュールを有し、  前記位置決めコンポーネントは、前記フレーム体と繋がり、  前記誘導モジュールは、前記位置決めコンポーネントに固定され、且つ少なくとも一つの前記環状スロットの中に設置され、  前記螺旋式羽根が風力によって駆動されると、前記回転子モジュールは前記柱体を軸心として前記ステーターモジュールに対して回転し、これによって前記第一磁力モジュールと前記第二磁力モジュールとの間の磁力区域が前記誘導モジュールを通過して、前記誘導モジュールに誘導電流を発生させ、  前記第一フレームは内円筒及び複数の連結タイバーを有し、且つ前記複数の連結タイバーは前記内円筒と前記柱体に繋がっており、  前記螺旋式羽根は前記内円筒の中に設置され、  前記第一磁力モジュールは複数の第一磁石を有し、  複数の第一磁石が内円筒に取り付けられることを特徴とする風力発電機装置。
【請求項２】
前記第二フレームは外円筒及び少なくとも二つのベアリングを有し、前記内円筒は前記外円筒の内側にあり、前記第二磁力モジュールは複数の第二磁石を有し、且つ前記の複数第二磁石が前記外円筒に取り付けられ、前記複数の第一磁石はそれぞれ前記半径方向に沿って前記複数の第二磁石と向き合っており、二つの前記ベアリングは、別々に前記外円筒の両端に固定され、且つ前記フレーム体と位置決めコンポーネントとの間に設置されていることを特徴とする請求項１に記載の風力発電装置。
【請求項３】
前記ローテ―チングパーツはそれぞれ前記内円筒と前記外円筒に固定されている二つのギアを有し、且つ前記二つのギアは相互に組み合わせることを特徴とする請求項２に記載の風力発電装置。
【請求項４】
前記内円筒及び前記外円筒は分離して設置され、前記螺旋式羽根の駆動により第一フレームを回転させるとき、前記第一フレームは前記第一磁力モジュールと第二磁力モジュールとの間の吸引力のみにより外円筒を同期させながら回転させることを特徴とする請求項２に記載の風力発電装置。
【請求項５】
前記ローテ―チングパーツは接続パーツを有し、前記接続パーツの両端は別々前記内円筒と前記外円筒に繋がって一体化していることを特徴とする請求項２に記載の風力発電装置。
【請求項６】
前記第二フレームは複数のポジショニングシートを有し、前記ローテ―チングパーツは複数の接続パーツを含み、前記複数の接続パーツの一端が分離され、前記内円筒に組み込むことができ、前記複数の接続パーツの他端が前記複数のポジショニングシートに固定され、各前記接続パーツと接続パーツを固定している前記ポジショニングシートは、前記内円筒と一つのスロット口を形成し、且つ前記複数のスロット口はすべて同方向へ向いており、前記第二磁力モジュールは複数の第二磁石を有し、且つ前記複数の第二磁石はそれぞれ前記複数のポジショニングシートに設置され、そこで複数の前記第一磁石はそれぞれ前記半径方向に沿って前記複数の第二磁石と向き合うことを特徴とする請求項１に記載の風力発電装置。
【請求項７】
前記位置決めコンポーネントは複数のタイバーを有し、前記誘導モジュールは複数の誘導コイルを有し、複数のタイバーの一端は前記フレーム体に固定され、且つ複数のタイバーの他端はそれぞれ前記複数の誘導コイルに固定され、前記螺旋式羽根の駆動により第一フレームを回転させるときに、各前記誘導コイルは少なくとも二つの前記スロット口を通過できることを特徴とする請求項６に記載の風力発電装置。
【請求項８】
制御モジュールは前記回転子モジュール及びステーターモジュールに繋がれ、前記フレーム体は複数のバーを有し、且つ各前記バーは前記複数のタイバーの中の少なくとも二つのタイバーに固定され、前記螺旋式羽根の駆動により前記第一フレームを回転させるときに、前記制御モジュールは前記複数のバーの中の少なくとも一つのバーに固定されている前記誘導コイルを、対応する環状スロットから離すように制御することを特徴とする請求項７に記載の風力発電装置。
【請求項９】
回転子モジュール及びステーターモジュールを具備する風力発電装置であって、  前記回転子モジュールはローテ―チングパーツ、第一磁力モジュール及び第二磁力モジュールを有し、前記ローテ―チングパーツは柱体と、前記柱体に繋がっている螺旋式羽根と、前記柱体に固定されている第一フレームと、前記第一フレームの外側にある第二フレームとを有し、第一磁力モジュールは前記第一フレームに固定され、且つ前記螺旋式羽根の外側に設置され、第二磁力モジュールは前記第二フレームに固定され、且つ前記第一磁力モジュールの外側に設置され、前記第二磁力モジュールは前記柱体の半径方向に沿って前記第一磁力モジュールと向き合っており、  前記回転子モジュールは、前記螺旋式羽根の外側に配設された前記第一磁力モジュールと前記第二磁力モジュールとの間に少なくとも一つの環状スロットを具備すると定義し、  前記ステーターモジュールは前記回転子モジュールの外側に設置され、且つ前記ステーターモジュールはフレーム体、位置決めコンポーネント及び誘導モジュールを有し、前記位置決めコンポーネントは前記フレーム体と繋がり、前記誘導モジュールは前記位置決めコンポーネントに固定され、且つ少なくとも一つの前記環状スロットの中に設置され、  前記螺旋式羽根は風力によって駆動され、且つ回転子モジュールは前記柱体を軸心として、前記ステーターモジュールに対して回転し、前記第一磁力モジュールと前記第二磁力モジュールとの間の磁力区域が前記誘導モジュールを通過して、前記誘導モジュールに誘導電流を発生させ、  前記ローテ―チングパーツは二つのフローガイドパーツを有し、且つ二つの前記フローガイドパーツはそれぞれ前記柱体の両端に固定され、前記螺旋式羽根及び二つの前記フローガイドパーツは前記風力の衝撃により駆動され、前記回転子モジュールと共に前記柱体を軸心として同じ方向へ回転することを特徴とする風力発電装置。
【発明の詳細な説明】
【技術分野】
【０００１】  本発明は、発電装置に関し、特に螺旋式羽根を駆動させる風力発電装置に関する。
【背景技術】
【０００２】  従来の風力発電装置は、大部分が風力で羽根を回転させることでエネルギーを発生させるので、例えば現在の風力発電装置においては、大型の羽根の設置を通して、此れにより、風力の受風面積を増加させている。しかし、たとえこのように構成しても、従来の風力発電装置が風力を通じて羽根を回転させることで発生させるエネルギーはごく限られる。この点を考慮して、どのように有限な風力を利用して風力発電装置を駆動して、それによって、もっと大きな発電量を発生させるかが、本技術分野の重視する課題の一つになっている。【０００３】  そこで、本発明者は前記欠点を改善する余地があると考えて、特に専念して研究し、そして学術的な原理を運用して、ついに合理的にしかも効果的に前記の欠点を改善する事が出来る本発明を創作した。
【先行技術文献】
【特許文献】
【０００４】
【特許文献１】特開２０１３−１５１９２９号公報
【発明の概要】
【発明が解決しようとする課題】
【０００５】  本発明は、有効に従来の風力発電装置が有する欠点を改善することができる風力発電装置を提供するものである。
【課題を解決するための手段】
【０００６】  本発明は、一種の風力発電装置を提供するにあって、回転子モジュール、及びステーターモジュールを具備し、前記回転子モジュールは、ローテ―チングパーツ、第一磁力モジュール及び第二磁力モジュールを有し、前記ローテ―チングパーツは柱体と、この柱体の外縁に繋がっている螺旋式羽根と、前記柱体に固定する第一フレームと、前記第一フレームの外側にある第二フレームとを有し、第一磁力モジュールは、前記第一フレームに固定され、且つ前記螺旋式羽根の外側に設置されており、前記第二磁力モジュールは、前記第二フレームに固定され、且つ前記第一磁力モジュールの外側に設置され、さらに前記柱体の半径方向に沿って前記第一磁力モジュールと向き合っており、前記回転子モジュールは、前記螺旋式羽根の外側の周りに配設された前記第一磁力モジュールと前記第二磁力モジュールとの間に少なくとも一つの環状スロットを具備すると定義し、前記ステーターモジュールは、前記回転子モジュールの外に設置され、且つフレーム体と、フレーム体に繋がっている位置決めコンポーネント及び誘導モジュールとを有し、前記誘導モジュールは前記位置決めコンポーネントに固定され、且つ少なくとも一つの前記環状スロット中に設置され、前記螺旋式羽根が風力によって駆動されると、前記回転子モジュールは前記柱体を軸心として、前記ステーターモジュールに対して回転し、これによって前記第一磁力モジュールと前記第二磁力モジュールとの間の磁力区域(磁場)が前記誘導モジュールを通過して、前記誘導モジュールに誘導電流を発生させる事を特徴とする。【０００７】  前記したように、本発明が提供している風力発電装置は前記螺旋式羽根の風力による効率な駆動によって、前記第一磁力モジュールと前記第二磁力モジュールとを同期回転させ、これによりスムーズに発電することができる。【０００８】  本発明の特徴と技術の内容を更に理解するため、下記の本発明の詳しい説明と図面を参照していただきたい。しかし、これらの説明と図面はただ本発明を説明するのに用いるだけで、本発明の権利の範囲に対していかなる制限を行うものではない。
【図面の簡単な説明】
【０００９】
【図１】本発明風力発電装置１００の例一概略断面図である。
【図２】図１の切断線II−IIに沿っての概略断面図である。
【図３】本発明風力発電装置１００の例二概略断面図である。
【図４】本発明風力発電装置１００の例三概略断面図である。
【図５】本発明風力発電装置１００の例四概略断面図である。
【図６】図５の切断線VI−VIに沿っての概略断面図である
【図７】本発明風力発電装置１００の例四の機能概略説明図である。
【図８】図５の作動説明概略図
【図９】本発明風力発電装置１００の例五概略断面図である。
【発明を実施するための形態】
【００１０】  図１から図９は本発明の実施例を示している。予め説明しておくが、本発明の実施例では、その内容をよく理解するために図面を通じて数量及び外形を示したが、これらは本発明を説明するために示されたものであり、これによって、本発明の権利の範囲が限定されるものではない。
【実施例１】
【００１１】  図１と図２に示した通り、本実施例は一種の風力発電装置１００であり、回転子モジュール１と前記回転子モジュール１の外に設置されたステーターモジュール２を有する。ここで、前記回転子モジュール１はローテ―チングパーツ１１、前記ローテ―チングパーツ１１に取り付けられている第一磁力モジュール１２、及び前記ローテ―チングパーツ１１に取り付けられている第一磁力モジュール１２の外側に設けられた第二磁力モジュール１３を有する。【００１２】  前記ローテ―チングパーツ１１は、柱体１１１と、この柱体１１１の外縁に繋がっている螺旋式羽根１１２と、前記柱体１１１に固定されている第一フレーム１１３及び前記第一フレーム１１３の外側にある第二フレーム１１４と、前記第一フレーム１１３と第二フレーム１１４との間に設けられた接続パーツ１１５と、前記柱体の両端に固定されている一対のフローガイドパーツ１１６とを有する。【００１３】  柱体１１１のセンターラインに対する（センターラインに直交する方向に向かう）前記螺旋式羽根１１２の長さは大体０．５ピッチより大きい（０．８ピッチから３ピッチまでは優先選択するべき）。例えば、１ピッチ、１．１ピッチ、１．２ピッチ、１．５ピッチ、２．０ピッチ或は２．５ピッチである。しかしこれには限定されない。また、２１〜５５度の螺旋角度θ（helix angle）を持つ前記螺旋式羽根１１２は、柱体の外縁に設置されている。言い換えれば、軸線Ｌに対する前記螺旋式羽根１１２の長さは、螺旋角度θ及び螺旋式羽根１１２の外縁から軸線Ｌの間の距離により決められる。なお、前記螺旋式羽根１１２の長さは本実施例の図によって限定されるものではない。説明するまでもないが、本発明の螺旋式羽根１１２は類似構造の扇風機の羽根を排除する。【００１４】  このほか、例えば図１に示すように、ローテ―チングパーツ１１は柱体１１１にあるシングル螺旋式羽根１１２を具備する。但し、本発明は必要に応じて調整することが可能である。例えば、表示していない例として、前記ローテ―チングパーツ１１の柱体１１１に複数の大体同じ長さの螺旋式羽根１１２を形成することができる。【００１５】  前記第一フレーム１１３は内円筒１１３１及び複数の連結タイバー１１３２を有し、複数連結タイバー１１３２は前記内円筒１１３１と前記柱体１１１に繋がり、前記螺旋式羽根１１２は前記内円筒１１３１の中に設置され、前記複数の連結タイバー１１３２は前記螺旋式羽根１１２の両端部に取り付けられ、前記複数の連結タイバー１１３２は内円筒１１３１に対して風の流れがよい位置に設けられている。前記第二フレーム１１４は外円筒１１４１及び少なくとも二つのベアリング１１４２を有し、且つ前記内円筒１１３１が外円筒１１４１の中に設置されるのが好ましい。前記二つのベアリング１１４２はそれぞれ前記外円筒１１４１の両側に設置されている。【００１６】  前記接続パーツ１１５の両端はそれぞれ前記内円筒１１３１及び外円筒１１４１とに繋がっている。また、接続パーツ１１５は本発明の中にシングル環状構造或は複数の柱体にすることが可能であるが、これには限定されない。従って、前記内円筒１１３１と外円筒１１４１は前記接続パーツ１１５を通じて同期作動のシングル式構造を形成することができる。【００１７】  各フローガイドパーツ１１６は大体中空の形状であり、風はこの中を通って、内円筒１１３１の中に入り、これにより、前記螺旋式羽根１１２及び前記二つのフローガイドパーツ１１６は、風力によって駆動され、そして、回転子モジュール１と共に前記柱体１１１を軸心として同じ方向へ回転する。例えば、前記フローガイドパーツ１１６は、一つの円環部（図面に表示していない）及び円環部の外縁に取り付けられている間隔配列の複数フローガイド羽根（図面に表示していない）を具備し、且つ、風が前記複数フローガイド羽根と衝突することにより前記フローガイドパーツ１１６は駆動される。【００１８】  前記回転子モジュール１は、前記螺旋式羽根１１２の外側に設けられた前記第一磁力モジュール１２と第二磁力モジュール１３との間に少なくとも一つの環状スロットＧを具備すると定義する。ここで、本実施例の環状スロットＧは二つ設けられている。前記二つの環状スロットＧは内円筒１１３１と外円筒１１４１との間にあり、これらは接続パーツ１１５によって区分されている。前記二つの環状スロットＧは第一磁力モジュール１２と第二磁力モジュール１３との間の区域を含む。【００１９】  前記第一磁力モジュール１２はローテーチングパーツ１１の第一フレーム１１３に固定され、且つ前記螺旋式羽根１１２の外側にある。ここで、本実施例の第一磁力モジュール１２は複数の第一磁石１２１を有し、また、前記複数の第一磁石１２１は内円筒１１３１に設置(例：埋設)され、且つ前記内円筒１１３１の外縁表面に現れる。しかしこれには限られない。【００２０】  更に詳しく言うと、前記複数の第一磁石１２１は、内円筒１１３１の表面に配置される方式が設計者の求めによって調整することができる。例えば、前記柱体１１１と直交する任意の一断面上（例えば図２）において、前記内円筒１１３１に複数の第一磁石１２１を設置することができる。また、環状スロットＧは前記複数の第一磁石１２１の外側にある。【００２１】  前記第二磁力モジュール１３はローテーチングパーツ１１の第二フレーム１１４に固定され、且つ柱体１１１の半径方向Ｒに沿って前記第一磁力モジュール１２と向き合っている。ここで、前記第二磁力モジュール１３は複数の第二磁石１３１を有し、また、前記複数の第二磁石１３１は外円筒１１４１に設置され、且つ前記外円筒１１４１の内縁表面に現れる。更に、前記複数の第一磁石１２１はそれぞれ前記半径方向Ｒに沿って前記複数の第二磁石１３１と向き合い、且つ互いに向き合っている二つの磁石１２１，１３１の対向面の磁極は異なる磁極であり、一方円周方向に隣り合う第一磁石１２１の同一表面上の磁極、及び第二磁石１３１の同一表面上の磁極はそれぞれ異なる磁極となっている。【００２２】  更に詳しく言うと、外円筒１１４１に設置された前記複数の第２磁石１３１の数量と配列方式は内円筒１１３１に設置された前記第一磁石１２１の数量と配列方式とに対応している。しかしこれには制限されない。【００２３】  前記ステーターモジュール２はフレーム体２１と、前記フレーム体２１に繋がっている位置決めコンポーネント２２及び前記位置決めコンポーネント２２に固定され��誘導モジュール２３を有し、前記誘導モジュール２３は少なくとも一つの環状スロットＧの中に設置されている。ここで、前記フレーム体２１は本実施例では円筒状であり、前記回転子モジュール１は二つのフローガイドパーツ１１６を有し、前記二つのフローガイドパーツ１１６はフレーム体２１の両側から外側に突出した柱体１１１に固定されている。回転子モジュール１の残りの部分は全部フレーム体２１の中にある。【００２４】  前記位置決めコンポーネント２２は少なくとも二つのＬ型ブラケット２２１を有し、前記二つのＬ型ブラケット２２１の一端はフレーム体２１に接続し、且つ外円筒１１４１の両端と対抗する位置に配置され、前記二つのＬ型ブラケット２２１の他端はそれぞれ前記二つの環状スロットＧの（スロット口の）中にあって、且つ接続パーツ１１５の両側面と対抗する位置に配置される。前記第二フレーム１１４の二つのベアリング１１４２はそれぞれ前記フレーム体２１と位置決めコンポーネント２２との間に取り付けられている。即ち、各Ｌ型ブラケット２２１の内側の隅に一つのベアリング１１４２が設置されている。【００２５】  前記誘導モジュール２３は複数の誘導コイル２３１を有し、且つ前記複数の誘導コイル２３１はそれぞれ位置決めコンポーネント２２のＬ型ブラケット２２１に固定されている。前記複数の誘導コイル２３１はそれぞれ前記複数の第一磁石１２１（或は第二磁石１３１）と同じ断面上にある。更に、本実施例における風力発電装置１００は、前記柱体１１１と直交する断面上（例えば図２）に複数の第一磁石１２１と、これら複数の第一磁石１２１と向き合う複数の第二磁石１３１と、複数誘導コイル２３１とを有する。【００２６】  これにより、前記螺旋式羽根１１２（及びフローガイドパーツ１１６）は風力の衝撃を受け、且つ前記回転子モジュール１は前記柱体１１１を軸心としてステーターモジュール２に対して回転する。そして前記第一磁力モジュール１２と第二磁力モジュール１３との間の磁力区域が前記誘導モジュール２３を通過して（換言すれば、前記磁力区域に対して前記誘導モジュール２３が相対移動することで）、前記誘導モジュール２３に誘導電流を発生させる。【００２７】  ここで、本実施例における風力発電装置１００は螺旋式羽根１１２が駆動されることに限定することを意味している。即ち、螺旋式羽根１１２ではない他の駆動方式の風力発電装置は本実施例中に示している風力発電装置ではない。【００２８】  前記述べたように、本実施例に示した風力発電装置１００は螺旋式羽根１１２（及びフローガイドパーツ１１６）を通じて効率に風力を利用して、第一磁力モジュール１２及び第二磁力モジュール１３を同期させながら回転させることができ、風力発電作業を進めやすくなる。
【実施例２】
【００２９】  図３に示すのは、本発明の実施例２である。本実施例と前記実施例１は類似であり、同じのところの説明は割愛する。二つ実施例の主な相異点はローテ―チングパーツ１１である。【００３０】  具体的に説明すると、本実施例のローテ―チングパーツ１１の接続パーツ１１５は二つの互いに組み合わさるギア１１５１を含み、且つ前記二つのギア１１５１はそれぞれ前記内円筒１１３１及び前記外円筒１１４１に固定される。前記螺旋式羽根１１２の駆動により第一フレーム１１３を回転させるとき、前記第一フレーム１１３は前記二つのギア１１５１を通じて外円筒１１４１を同期させながら（同一速度で）回転させることが出来る。
【実施例３】
【００３１】  図４に示すのは、本発明の実施例３である。本実施例と前記実施例１は類似であり、同じのところの説明は割愛する。二つ実施例の主な相異点はローテ―チングパーツ１１である。【００３２】  具体的に説明すると、本実施例のローテ―チングパーツ１１は接続パーツ１１５を含んでいない。前記内円筒１１３１及び前記外円筒１１４１は別々に分離され、そして前記螺旋式羽根１１２の駆動により第一フレーム１１３を回転させるとき、前記第一フレーム１１３は只第一磁力モジュール１２と第二磁力モジュール１３の磁力吸引力のみにより、外円筒１１４１を同期させながら（同一速度で）回転させる。
【実施例４】
【００３３】  図５から図８に示すのは、本発明の実施例４である。本実施例と前記実施例１は類似であり、同じのところの説明は割愛する。本実施例は風力発電装置１００の一種であり、回転子モジュール１と前記回転子モジュール１の外に取り付けられているステーターモジュール２と、制御モジュール３とを具備し、且つ制御モジュール３は前記回転子モジュール１及びステーターモジュール２に繋いでいる。ここで、前記回転子モジュール１はローテ―チングパーツ１１と、前記ローテ―チングパーツ１１に取り付けられている第一磁力モジュール１２と、前記ローテ―チングパーツ１１に取り付けられている第一磁力モジュール１２の外側にある第二磁力モジュール１３とを有する。【００３４】  前記ローテ―チングパーツ１１は柱体１１１と、この柱体１１１の外縁に繋がっている螺旋式羽根１１２と、前記柱体１１１に固定されている第一フレーム１１３と、前記第一フレーム１１３の外側にある第二フレーム１１４と、前記第一フレーム１１３と第二フレーム１１４との間に設けられた複数の接続パーツ１１５と、前記柱体１１１の両端に固定されている一対のフローガイドパーツ１１６とを有する。ここで、本実施例の柱体１１１、螺旋式羽根１１２、第一フレーム１１３、二つフローガイドパーツ１１６、及び第一磁力モジュール１２のそれぞれの構造と連結関係は前記実施例１と同じく、従ってここで改めて述べることはしない。【００３５】  前記第二フレーム１１４は複数のポジショニングシート１１４３を有し、且つ前記複数の接続パーツ１１５の一端が分離され、前記内円筒１１３１に組み込む（例えば、ネジ式、差し込み式など）ことができ、且つ前記複数の接続パーツ１１５の他端が複数のポジショニングシート１１４３に固定される。ここで、各接続パーツ１１５と接続パーツ１１５を固定するポジショニングシート１１４３は、前記第一フレーム１１３の内円筒１１３１と一つのスロット口を形成し、且つ前記複数のスロット口はすべて同じ方向へ向いている。【００３６】  前記第二磁力モジュール１３は複数の第二磁石１３１を有し、且つ前記複数の第二磁石１３１はそれぞれ前記複数のポジショニングシート１１４３上に設置され、複数の第一磁石１２１はそれぞれ前記半径方向Ｒに沿って、複数の第二磁石１３１と向き合っている。前記回転子モジュール１は前記螺旋式羽根１１２の外側の周りに前記第一磁力モジュール１２と第二磁力モジュール１３との間に複数の環状スロットＧを具備すると定義する。【００３７】  前記ステーターモジュール２はフレーム体２１と、前記フレーム体２１に繋がっている位置決めコンポーネント２２と、前記位置決めコンポーネント２２に固定された誘導モジュール２３とを有し、且つ前記誘導モジュール２３は環状スロットＧの中に設置されている。ここで、前記フレーム体２１は本実施例で複数のバー２１１を含み、前記複数のバー２１１はそれぞれ回転子モジュール１の外周に平行に設置され、且つそれぞれバー２１１は柱体１１１の中心線と平行している。【００３８】  前記位置決めコンポーネント２２は複数のタイバー２２２を有し、前記誘導モジュール２３は複数の誘導コイル２３１を有する。ここで、複数のタイバー２２２の一端は前記フレーム体２１の複数のバー２１１に固定され（本実施例の各バー２１１は少なくとも二つのタイバー２２２を固定する）、且つ複数のタイバー２２２の反対側はそれぞれ複数の誘導コイル２３１を固定している。これにより、前記螺旋式羽根１１２が第一フレーム１１３を駆動して回転させるときに、各前記誘導コイル２３１が前記複数のスロット口（少なくとも二つの前記スロット口）の中を通過するように構成する（換言すれば、回転する前記複数のスロット口の中に静止する前記誘導コイル２３１を配設することで、前記複数のスロット口の中を前記誘導コイル２３１が相対移動するように構成する）ことができる。【００３９】  更に、本実施例の風力発電装置１００は、前記柱体１１１と直交する断面上（図６のように）に複数の第一磁石１２１と、複数の第一磁石１２１と向き合っている複数の第二磁石１３１と、内円筒１１３１の外側及び複数の第二磁石１３１の内側にある前記環状スロットＧと、前記環状スロットＧ中に配設された複数の誘導コイル２３１とを有する。【００４０】  これにより、前記螺旋式羽根１１２（及びフローガイドパーツ１１６）は風力の衝撃を受け、且つ前記回転子モジュール１は前記柱体１１１を軸心としてステーターモジュール２に対して回転し、前記第一磁力モジュール１２と第二磁力モジュール１３との間の磁力区域が前記誘導モジュール２３を通過し（換言すれば、回転する前記磁力区域の中に静止する前記誘導コイル２３１が存することで、前記磁力区域に対して前記誘導モジュール２３が相対移動することで）、前記誘導モジュール２３に誘導電流を発生させる。【００４１】  ここで、前記螺旋式羽根１１２の駆動により第一フレーム１１３を回転させるときに、前記制御モジュール３は、複数のバー２１１中の少なくとも一つのバー２１１を、図８に示すように、回転軸（柱体１１１の軸心）方向に移動し、このバー２１１に固定されている誘導コイル２３１を、これに対応する環状スロットＧから（図８のように）離れるように制御することが出来る。従って、風力発電装置１００は風力の強弱によって発電を効率に行うことが出来る。なお、バー２１１の移動方向、即ち誘導コイル２３１の移動方向は、前記回転軸方向以外の方向であっても良い。
【実施例５】
【００４２】  図９に示すのは、本発明の実施例５である。本実施例と前記実施例４は類似であり、同じのところの説明は割愛する。二つ実施例の主な相異点は本実施例のフレーム体２１が円筒状であり、且つ前記制御モジュール３に制御されない点である。【００４３】  以上述べたことは、本発明の実施例であり、本発明はこれら実施例の構成と特定使用方式に限定されるものではなく、その趣旨を逸脱しない範囲において適宜その構成と使用方式を変更することができ、そのような場合、本発明の技術的範囲の解釈に含まれるべきである。
【符号の説明】
【００４４】１００    風力発電装置１        回転子モジュール１１      ローテ―チングパーツ１１１    柱体１１２    螺旋式羽根１１３    第一フレーム１１３１  内円筒１１３２  連結タイバー１１４    第二フレーム１１４１  外円筒１１４２  ベアリング１１４３  ポジショニングシート１１５    接続パーツ１１５１  ギア１１６    フローガイドパーツ１２      第一磁力モジュール１２１    第一磁石１３      第二磁力モジュール１３１    第二磁石２        ステーターモジュール２１      フレーム体２１１    バー２２      位置決めコンポーネント２２１    Ｌ型ブラケット２２２    タイバー２３      誘導モジュール２３１    誘導コイル３        制御モジュールＧ        環状スロットＲ        半径方向 
【図１】
2018143452.tif 000003
【図２】
2018143452.tif 000004
【図３】
2018143452.tif 000005
【図４】
2018143452.tif 000006
【図５】
2018143452.tif 000007
【図６】
2018143452.tif 000008
【図７】
2018143452.tif 000009
【図８】
2018143452.tif 000010
【図９】
2018143452.tif 000011
【国際調査報告】
2018143452.tif 000012
2018143452.tif 000013
2018143452.tif 000014